(57)【要約】【課題】簡単な構造で極めて高い補聴効果が得られ、且つ低価格化をも図り得る補聴器を提供する。【解決手段】頭部Ｈの左右両側に耳介Ｅを覆うように装着され且つ音波を取り込む開口部１ａが形成され、該開口部１ａから取り込まれた音波を内部で反射させて外耳道へ導く一対の音波導入反射カバー１と、該音波導入反射カバー１を頭部Ｈの左右両側に押し当てる方向へ付勢するよう連結する弾性連結体２とを備える。【選択図】図２
2014153603.tif 000002
【特許請求の範囲】
【請求項１】
頭部左右両側に耳介を覆うように装着され且つ音波を取り込む開口部が形成され、該開口部から取り込まれた音波を内部で反射させて外耳道へ導く一対の音波導入反射カバーと、
該音波導入反射カバーを頭部左右両側に押し当てる方向へ付勢するよう連結する弾性連結体と
を備えたことを特徴とする補聴器。
【請求項２】
前記音波導入反射カバーの頭部左右両側に対する接触縁部に、該頭部左右両側の表面形状に倣いつつ前記弾性連結体による付勢力を緩和吸収するクッション部材を取り付けた請求項１記載の補聴器。
【請求項３】
前記音波導入反射カバーと弾性連結体との間に、弾性変形する自在連結用座を介在させると共に、該音波導入反射カバーと弾性連結体とを締結具にて締結した請求項１又は２記載の補聴器。
【発明の詳細な説明】
【技術分野】
【０００１】
本発明は、補聴器に関するものである。
【背景技術】
【０００２】
一般に、人間の場合、頭部の左右両側にある耳介で音が拾い集められて外耳道へ導かれ、該外耳道へ導かれた音による鼓膜の振動が耳小骨を介して蝸牛へ伝えられ、該蝸牛の内部にある有毛細胞で前記振動が神経パルス（電気信号）に変換され、該電気信号が蝸牛神経を通して大脳の聴覚中枢へ送られることにより、音が感知されるようになっている。
【０００３】
そして、従来の補聴器は、前記耳介に引っ掛けるように装着するか、或いは外耳道内部に直接挿入する形で装着し、音波を電気的に増幅し鼓膜に伝えることにより、聴覚が低下した難聴者の聴覚感度を補う方式のものが一般的である。
【０００４】
こうした方式の補聴器としては、例えば、入力音波を一律に増幅するものや、音波の周波数帯によって増幅度を変化させる高度なシステムのもの等、その他、さまざまな特性を有するものが提供されている。
【０００５】
尚、前述の如き補聴器と関連する一般的技術水準を示すものとしては、例えば、特許文献１がある。
【先行技術文献】
【特許文献】
【０００６】
【特許文献１】特開２００７−３００５４４号公報
【発明の概要】
【発明が解決しようとする課題】
【０００７】
しかしながら、前述の如き従来の補聴器は、非常に高額のものが多く、特に高度なシステムを有するものの場合、大幅な価格低下を期待することは極めて困難な状況にあり、難聴者が補聴器を購入する上での大きな障害となっている。
【０００８】
本発明は、上記従来の問題点に鑑みてなしたもので、簡単な構造で極めて高い補聴効果が得られ、且つ低価格化をも図り得る補聴器を提供しようとするものである。
【課題を解決するための手段】
【０００９】
本発明は、頭部左右両側に耳介を覆うように装着され且つ音波を取り込む開口部が形成され、該開口部から取り込まれた音波を内部で反射させて外耳道へ導く一対の音波導入反射カバーと、
該音波導入反射カバーを頭部左右両側に押し当てる方向へ付勢するよう連結する弾性連結体と
を備えたことを特徴とする補聴器にかかるものである。
【００１０】
前記補聴器においては、前記音波導入反射カバーの頭部左右両側に対する接触縁部に、該頭部左右両側の表面形状に倣いつつ前記弾性連結体による付勢力を緩和吸収するクッション部材を取り付けることが好ましい。
【００１１】
又、前記補聴器においては、前記音波導入反射カバーと弾性連結体との間に、弾性変形する自在連結用座を介在させると共に、該音波導入反射カバーと弾性連結体とを締結具にて締結することが好ましい。
【発明の効果】
【００１２】
本発明の補聴器によれば、簡単な構造で極めて高い補聴効果が得られ、且つ低価格化をも図り得るという優れた効果を奏し得る。
【図面の簡単な説明】
【００１３】
【図１】本発明の補聴器の実施例を示す斜視図である。
【図２】本発明の補聴器の実施例における音波導入反射カバーを耳に装着した状態を示す正面図である。
【図３】本発明の補聴器の実施例における音波導入反射カバーを耳に装着した状態を示す側面図である。
【図４】本発明の補聴器の実施例における音波導入反射カバーを耳に装着した状態を示す平面図である。
【図５】本発明の補聴器の実施例における音波導入反射カバーを耳に装着した状態を示す拡大断面図であって、図３のＶ−Ｖ断面図である。
【発明を実施するための形態】
【００１４】
以下、本発明の実施の形態を添付図面を参照して説明する。
【００１５】
図１〜図５は本発明の補聴器の実施例であって、１は音波導入反射カバー、２は弾性連結体、３はクッション部材、４は自在連結用座、５は締結具である。
【００１６】
前記音波導入反射カバー１は、図２及び図３に示す如く、頭部Ｈの左右両側に耳介Ｅを覆うように装着され且つ音波を取り込む開口部１ａが形成され、該開口部１ａから取り込まれた音波を内部で反射させて外耳道（図示せず）へ導くようになっている。
【００１７】
前記弾性連結体２は、音波導入反射カバー１を頭部Ｈの左右両側に押し当てる方向へ付勢するよう連結するものであり、円弧状に湾曲するアーチ型に成形した合成樹脂、金属、或いは竹等の部材によって形成してある。尚、前記弾性連結体２の形状については、アーチ型に限らず門型とすることも可能である。
【００１８】
前記クッション部材３は、図３及び図４に示す如く、前記音波導入反射カバー１の頭部Ｈの左右両側に対する接触縁部に取り付けられ、該頭部Ｈの左右両側の表面形状に倣いつつ前記弾性連結体２による付勢力を緩和吸収するようになっている。
【００１９】
前記自在連結用座４は、図５に示す如く、弾性変形するパッドであって、前記音波導入反射カバー１と弾性連結体２との間に介在されるようになっている。又、前記締結具５は、図５に示す如く、一端部表面に鋸刃状部５ａを形成すると共に、他端部に前記一端部を挿入可能な係止孔５ｂを穿設し、且つ該係止孔５ｂの内面に、前記鋸刃状部５ａが係合する鋸刃状溝５ｃを刻設し、前記一端部を他端部の係止孔５ｂに挿入すると抜けなくなるようにしたものであり、前記自在連結用座４が介在された音波導入反射カバー１と弾性連結体２とに対し、該音波導入反射カバー１の内面側から前記締結具５の一端部を貫通させて折り返す形で再度、該締結具５の一端部を前記弾性連結体２の外面側から貫通させ、前記係止孔５ｂに挿入して鋸刃状部５ａを鋸刃状溝５ｃに係合させることにより、前記自在連結用座４が介在された音波導入反射カバー１と弾性連結体２とを締結するようになっている。
【００２０】
次に、上記実施例の作用を説明する。
【００２１】
音波導入反射カバー１を、図２及び図３に示す如く、頭部Ｈの左右両側に耳介Ｅを覆うように装着すると、該音波導入反射カバー１は弾性連結体２の付勢力により頭部Ｈの左右両側に押し当てられ、開口部１ａを除く縁部がクッション部材３を介して密着する。
【００２２】
音波は前記音波導入反射カバー１の開口部１ａから取り込まれ、該開口部１ａから取り込まれた音波は、音波導入反射カバー１の内部で反射して外耳道（図示せず）へ導かれ、聴覚が低下した難聴者の聴覚感度が補われる。
【００２３】
又、前記音波導入反射カバー１の音波振動は、側頭骨経由で直接、聴覚神経に伝達されるため、鼓膜等、中耳における音波の伝達部位に障害を持つ難聴者にも補聴効果が得られる。
【００２４】
ここで、前記音波導入反射カバー１の頭部Ｈの左右両側に対する接触縁部にはクッション部材３を取り付けてあるため、該音波導入反射カバー１は、頭部Ｈの左右両側の表面形状に倣いつつ密着し、前記開口部１ａから取り込まれた音波を外部に漏らすことなく内部で反射させ確実に前記外耳道へ導くことが可能となり、又、前記弾性連結体２による付勢力は、前記クッション部材３によって緩和吸収されるため、前記音波導入反射カバー１を長時間装着しても、違和感を抑え、痛みを感じにくくすることが可能となる。
【００２５】
しかも、前記音波導入反射カバー１と弾性連結体２との間には自在連結用座４を介在させてあるため、前記弾性連結体２に対する音波導入反射カバー１の傾斜角度を頭部Ｈの左右両側の表面における傾斜に合わせて変化させることが可能となり、前記音波導入反射カバー１の頭部Ｈの左右両側の表面に対する密着性を高める上で有効となる。
【００２６】
尚、前記弾性連結体２に対する音波導入反射カバー１の取り付けは、必ずしも図５に示すような構造に限らず、例えば、球体とそれを受ける部材で構成される自在継手を介して行うことも可能であり、該自在継手を利用する場合、前記自在連結用座４は省略可能となる。
【００２７】
この結果、入力音波を電気的に増幅するシステム等を用いることなく補聴効果の優れた補聴器を提供でき、従来の補聴器と比較し、大幅な価格低下が可能となり、難聴者が補聴器を購入する上での大きな障害をなくすことが可能となる。
【００２８】
こうして、簡単な構造で極めて高い補聴効果が得られ、且つ低価格化をも図り得る。
【００２９】
尚、本発明の補聴器は、上述の実施例にのみ限定されるものではなく、本発明の要旨を逸脱しない範囲内において種々変更を加え得ることは勿論である。
【符号の説明】
【００３０】
１    音波導入反射カバー
１ａ  開口部
２    弾性連結体
３    クッション部材
４    自在連結用座
５    締結具
Ｅ    耳介
Ｈ    頭部
【図１】
2014153603.tif 000003
【図２】
2014153603.tif 000004
【図３】
2014153603.tif 000005
【図４】
2014153603.tif 000006
【図５】
2014153603.tif 000007